(57)【特許請求の範囲】
【請求項１】
底板と上板との間に支持材を介在させた紙パレットにおいて、
前記上板に一体に設けられた突出部がその突出部に形成された折り曲げ線で折り曲げられてアコーデオン状に折り畳んで重合接着されて形成される凸部であって、折り曲げ数に応じた高さで、その高さの内側に位置する、包装された物品の横滑りを防止する荷ズレ防止用の凸部が、前記上板の上面の縁部に一体形成されたことを特徴とする、紙パレット。
【請求項２】
前記荷ズレ防止用の凸部を前記上板の上面の四隅に形成したことを特徴とする、請求項１に記載の紙パレット。
【請求項３】
前記荷ズレ防止用の凸部を平面Ｌ形に形成したことを特徴とする、請求項２に記載の紙パレット。
【発明の詳細な説明】
【０００１】
【発明の属する技術分野】
この発明は、たとえば複写機やファクシミリやプリンタなどの製品を包装して搬送する際に使用する紙パレットに関するものである。
【０００２】
【従来の技術】
図１に、従来の紙パレットとその使用形態を示す。この紙パレット１は、段ボールや硬質紙等からなる底板１１と上板１２との間に、複数の支持材１３を介在させて構成され、上板１２の上に、物品が包装された段ボール箱１４を載せ、物品をフォークリフト等で運搬するために使用される。
【０００３】
紙パレット１の上に複数の段ボール箱１４を並べて載せる時は、運搬中に段ボール箱１４と段ボール箱１４が横ズレしないように、段ボール箱１４同士をストレッチフィルム１５等で固定している。また、紙パレット１と段ボール箱１４が横ズレしないように、バンド１６等で紙パレット１と段ボール箱１４を固定する場合もあった。
【０００４】
【発明が解決しようとする課題】
しかしながら、従来のこのような紙パレットでは、物品を運搬する際、紙パレット１と段ボール箱１４が紙同士のため、横方向に滑り易く、荷崩れを起こすという問題があった。
【０００５】
また、この問題をなくすために、紙パレット１と段ボール箱１４をバンド１６等で固定する場合は、包装作業費が上昇するという問題があった。
【０００６】
そこで、この発明の目的は、紙パレットと段ボール箱を固定しなくても、物品を運搬する際、段ボール箱が紙パレットから横滑りして荷崩れを起すことがない紙パレットを、簡単な構成で提供することにある。
【０００７】
【課題を解決するための手段】
そのため、この発明は、段ボールや硬質紙等からなる底板と上板との間に支持材を介在させた紙パレットにおいて、上板に一体に設けられた突出部がその突出部に形成された折り曲げ線で折り曲げられてアコーデオン状に折り畳んで重合接着されて形成される凸部であって、折り曲げ数に応じた高さで、その高さの内側に位置する、包装された物品の横滑りを防止する荷ズレ防止用の凸部が、上板に一体形成されたものである。
【０００８】
この荷ズレ防止用の凸部は、上板の上面の四隅に形成するとよい。
【０００９】
荷ズレ防止用の凸部は、平面Ｌ形に形成することができる。
【００１０】
【発明の実施の形態】
以下、図面を参照しつつ、この発明の一例を説明する。
【００１１】
図２には、この発明の一例である紙パレットを分解し、かつ要部の部分拡大図を含めて示す。
【００１２】
この紙パレット３１は、少なくとも１枚の底板２１と、少なくとも４つ以上の支持材２２と、少なくとも１枚の上板２３とを部品として、図３に示すように、底板２１と上板２３との間に、支持材２２を四隅において介在させて構成されている。
【００１３】
底板２１は、段ボールや硬質紙等からなる。物品を運搬する際、底板２１と運搬器具２４（ハンドリフトトラック等）の車輪２４ａの当たりを防止するために、底板２１には、運搬器具２４の車輪２４ａの逃し口２１ａが一個以上設けられている。
【００１４】
この逃し口２１ａの形状は、本例では矩形としたが、運搬器具２４の車輪２４ａを逃すことができれば、円形等の他の形状にしてもよい。また、用途に応じて（車輪２４ａの付いた運搬器具２４を一切使用しない場合等）、逃し口２１ａが設けられていない場合もある。
【００１５】
支持材２２は、段ボールや硬質紙や紙管原紙等からなり、形状は、四角柱や円柱等に形成されている。そして、各支持材２２の下部２２ａは、底板２１の上面に接着剤等で接合され、また支持材２２の上部２２ｂは、上板２３の下面に接着剤等で接合されている。
【００１６】
上板２３は、段ボールや硬質紙等からなり、各辺縁の両端部に突出部２３ａが一体に設けられている。各突出部２３ａには、少なくとも一つ以上の折り曲げ線２３ｂが入っていて、突出部２３ａを折り曲げられるようになっている。
【００１７】
突出部２３ａをアコーデオン状に折り畳み、その時できる重合面を接着剤等で接着することで、図４に示すように上板２３の上面の四隅に、平面Ｌ形の荷ズレ防止用の凸部３１ａが一体形成され、上板２３と底板２１とは平面の大きさが同じになっている。この時、折り曲げの数が多ければ多いほど、凸部３１ａの高さｙ（図３）は高くなる。
【００１８】
本例では、四隅に凸部３１ａを設けたが、突出部２３ａの配置の仕方により辺縁の全域に形成したり、辺縁の中間部に凸部３１ａを形成してもよい。
【００１９】
図４ないし図６に示すように、包装された物品（段ボール箱）３２を紙パレット３１の上に載せると、包装された物品３２は、紙パレット３１の四隅の凸部３１ａの内側に位置する。
【００２０】
よって、紙パレット３１の凸部３１ａが、包装された物品３２のストッパとなり、二以上の物品を紙パレット３１上に載せてフォークリフト等で運搬しても、紙パレット３１から包装された物品３２が横滑りすることなく、荷崩れを防止できる。したがって、荷崩れ防止のために、紙パレット３１と包装された物品３２をバンド等で固定する必要もなくなる。
【００２１】
【発明の効果】
以上のように、この発明によれば、紙パレットの上板の上面の縁部に、荷ズレ防止用の凸部を一体形成したことで、物品を運搬する際、段ボール箱が紙パレットから横滑りして荷崩れを起すことを防止できる。また、これにより、荷崩れを防止するための包装作業の（紙パレットと段ボール箱をバンド等で固定する）必要がなくなり、包装作業費を低減できる。
【００２２】
荷ズレ防止用の凸部は、上板の端の突出部を上板上面に折り畳ねて重合接着して形成されることにより、上板の加工段階で、凸部の高さを自在に調節でき、凸部の配置も自在に設定できる。
【図面の簡単な説明】
【図１】従来の紙パレットとその使用形態を示す斜視図である。
【図２】この発明の一例である紙パレットを分解し、かつ要部の部分拡大図を含めて示す斜視図である。
【図３】完成状態の紙パレットと運搬器具との関係を示す側面図である。
【図４】完成状態の紙パレットとその上に載せる包装された物品の斜視図である。
【図５】包装された物品を紙パレット上に載せた状態の平面図である。
【図６】同上の側面図である。
【符号の説明】
２１    底板
２１ａ  逃し口
２２    支持材
２２ａ  支持材の下部
２２ｂ  支持材の上部
２３    上板
２３ａ  突出部
２３ｂ  折り曲げ線
３１    紙パレット
３１ａ  荷ズレ防止用の凸部
【図１】
0004285829.tif 000002
【図２】
0004285829.tif 000003
【図３】
0004285829.tif 000004
【図４】
0004285829.tif 000005
【図５】
0004285829.tif 000006
【図６】
0004285829.tif 000007